【手続補正書】
【提出日】平成16年10月21日(2004.10.21)
【手続補正１】
【補正対象書類名】明細書
【補正対象項目名】全文
【補正方法】変更
【補正の内容】
【書類名】      明細書
【発明の名称】  集積回路
【特許請求の範囲】
【請求項１】  液晶を駆動するために液晶基板上に実装される長方形の集積回路であって、電源を入力するための電源端子と、信号を入力するための信号入力端子と、出力端子を備えた集積回路において、
出力端子は集積回路の長辺に沿って等間隔に反復して設けた第１列の出力端子と、第１列の出力端子に対して千鳥配置に、等間隔に反復して設けた第２列の出力端子とを含み、第１列の出力端子と第２列の出力端子は異なる形状であることを特徴とする集積回路。
【請求項２】  請求項１に記載の集積回路において、
前記第１列の出力端子の形状は集積回路の短辺方向が長手の形状であり、前記第２列の出力端子の形状は集積回路の長辺方向が長手の形状であることを特徴とする集積回路。
【請求項３】  請求項１に記載の集積回路において、
前記第１列および第２列の各出力端子が集積回路の短辺に平行な中心線に対して対称な形状であることを特徴とする集積回路。
【請求項４】  請求項１に記載の集積回路において、
前記第１列の出力端子と前記第２列の出力端子がそれぞれ多角形であり、第１列と第２列の角数が異なることを特徴とする集積回路。
【請求項５】  請求項１に記載の集積回路において、
前記第２列の出力端子の長手寸法は、隣り合う第１の出力端子同士の間隔以上であることを特徴とする集積回路。
【請求項６】  請求項２に記載の集積回路において、
第１列および第２列の出力端子がいずれも長方形であり、第２列の出力端子の長辺が、互いに隣り合う２個の第１列の出力端子の間をまたいで両短辺の延長線が前記隣り合う第１列の出力端子のそれぞれの短辺にかかることを特徴とする集積回路。
【請求項７】  請求項１に記載の集積回路において、
第１列および第２列の出力端子がいずれもすぼまった端部を持つ形状であり、双方の出力端子のすぼまった端部同士を千鳥に向き合わせて、各列の出力端子の端部が他方の列の出力端子の端部間に入り込むように配置したことを特徴とする集積回路。
【発明の詳細な説明】
【０００１】
【発明の属する技術分野】
本発明は液晶表示基板上に実装するタイプの液晶駆動用集積回路に関する。
【０００２】
【従来の技術】
液晶表示基板上に液晶駆動集積回路を実装するタイプの液晶表示装置（ＣＯＧ型液晶表示装置）における一つの課題として、出力端子が多いことによる液晶駆動集積回路の横長化という問題がある。
【０００３】
そのため、液晶駆動集積回路の出力端子を千鳥に配置して、液晶駆動集積回路の長辺方向の出力端子のスペースを短くする液晶駆動集積回路もある。
【０００４】
図４は、液晶表示基板７２３上に液晶駆動集積回路７２０を実装したＣＯＧ型液晶表示装置の入力部分の模式図を示す。
【０００５】
図中、第１列出力端子群７０１は、液晶駆動集積回路７２０の出力辺に沿って設置された複数の出力端子であり、第２列出力端子群７０２は第１列出力端子群７０１に対して千鳥配置された複数の出力端子である。
【０００６】
出力電極群７０３は、第１列出力端子群７０１および第２列出力端子群７０２からの出力信号を液晶表示基板７２３内の画素に伝達する複数の電極を示す。入力端子群７０４は電源や入力信号のための複数の入力端子であり、入力電極群７２２は電源や入力信号を液晶駆動集積回路７２０に入力するための複数の電極である。
【０００７】
集積回路横幅７０５は液晶駆動集積回路７２０の横幅を示し、集積回路縦幅７２１は液晶駆動集積回路７２０の縦幅を示す。出力端子横幅７０６は第１列出力端子群７０１および第２列出力端子群７０２の端から端までの横の長さを示し、出力端子縦幅７０７は第１列出力端子群７０１および第２列出力端子群７０２の端から端までの縦の長さを示す。
【０００８】
ロジック領域７０８は液晶駆動集積回路７２０内のトランジスタゲートが形成されている領域である。出力端子７０９および出力端子７１１は第１列出力端子群７０１の出力端子であり、出力端子７１０は第２列出力端子群７０２の出力端子である。
【０００９】
出力電極７１２、出力電極７１３、出力電極７１４は、それぞれ出力端子７０９、出力端子７１０、出力端子７１１からの出力信号を引き出すための電極である。ギャップ７１５は出力端子７０９と出力電極７１３間の距離を示し、ギャップ７１６は出力電極７１３と出力端子７１１間の距離を示す。
【００１０】
ここで、第２列出力端子群７０２の出力端子は、第１列出力端子群７０１の出力端子と形状および方向が同じである。
【００１１】
【発明が解決しようとする課題】
集積回路の価格は概して面積に比例するので、上記集積回路においては出力端子横幅７０６および出力端子縦幅７０７の積である出力電極領域が小さいほど安価になる。
【００１２】
しかしながら、出力端子の面積は接続強度および接続抵抗等の理由によって所定の値以上でなければならない。また、隣り合う第１列の出力端子同士は、出力電極７１３、ギャップ７１５およびギャップ７１６の距離だけ離さなければならない。上記要素によって出力端子横幅７０６および出力端子縦幅７０７が決まり、集積回路横幅７０５および集積回路縦幅７２１が決まる。
【００１３】
特に最近の集積回路工程においては微細化が進んでロジック領域７０８が小さくなっているだけに、上記出力端子領域の縮小が求められている。
【００１４】
【課題を解決するための手段】
本発明では、上記課題を解決するために、電源を入力するための電源端子と信号を入力するための信号入力端子と出力端子を備えた長方形の集積回路であって、液晶を駆動するために液晶基板上に実装される集積回路において、集積回路の長辺に沿って設けた第１列の出力端子と、第１列の出力端子に対して千鳥配置に設けた第２列の出力端子で出力端子群を構成し、第２の出力端子は第１の出力端子と異なる形状のものを等間隔に反復して設ける。第１の出力端子の形状は集積回路の短辺方向が長手の多角形であり、一方、第２の出力端子形状は集積回路の長辺方向が長手の多角形であって、その長手寸法は第１列の出力端子同士の間隔以上である。出力端子の形状は集積回路の短辺に平行な中心線に対して対称であり、第１の出力端子の形状の角数と第２の出力端子の形状の角数を異ならせることもある。
【００１５】
（作用）
図４に示す従来の液晶駆動集積回路においては、第２列出力端子群７０２の出力端子は第１列出力端子群７０１の出力端子と形状および方向が同じなので、出力端子縦幅７０７が長くなり出力端子領域の面積が増す。
【００１６】
そこで、図１に示すごとく、第２列の出力端子を横長の長方形とすることによって、出力端子の面積は接続強度および接続抵抗等の理由による所要の値を保持し、隣り合う第１列の出力端子同士の距離を出力電極の幅および前記のギャップによって定まる値に保ちながら出力端子縦幅１０７を短くするのが本発明の主旨である。
【００１７】
また、図２、図３に示す如く第１列出力端子と第２列出力端子の形状は長方形に限らない。
【００１８】
【発明の実施の形態】
（実施の形態１）
図１は、本発明の実施の形態の一つであって、液晶表示基板１２３上に液晶駆動集積回路１２０を実装したＣＯＧ型液晶表示装置の入力部分の模式図を示す。
【００１９】
図中、第１列出力端子群１０１は、液晶駆動集積回路１２０の出力辺に沿って設置された複数の出力端子であり、第２列出力端子群１０２は、出力端子群１０１に対して千鳥配置された複数の出力端子である。
【００２０】
出力電極群１０３は、第１列出力電極群１０１および第２列出力電極群１０２からの出力信号を液晶表示基板１２３内の画素に伝達する複数の電極を示す。入力端子群１０４は電源や入力信号のための複数の入力端子であり、入力電極群１２２は電源や入力信号を液晶駆動集積回路１２０に入力するための複数の電極である。
【００２１】
集積回路横幅１０５は液晶駆動集積回路１２０の横幅を示し、集積回路縦幅１２１は液晶駆動集積回路１２０の縦幅を示す。出力端子横幅１０６は第１列出力端子群１０１および第２列出力端子群１０２の端から端までの横の長さを示し、出力端子縦幅１０７は第１列出力端子群１０１および第２列出力端子群１０２の端から端までの縦の長さを示す。
【００２２】
ロジック領域１０８は、液晶駆動集積回路１２０内のトランジスタゲートが形成されている領域である。出力端子１０９および出力端子１１１は第１列出力端子群１０１の出力端子であり、出力端子１１０は第２列出力端子群１０２の出力端子である。
【００２３】
出力電極１１２、出力電極１１３、出力電極１１４はそれぞれ出力端子１０９、出力端子１１０、出力端子１１１からの出力信号を引き出すための電極である。ギャップ１１５
は出力端子１０９と出力電極１１３間の距離を示し、ギャップ１１６は出力電極１１３と出力端子１１１間の距離を示す。
【００２４】
ここで、第２列出力端子群１０２の出力端子１１０の形状は、液晶駆動集積回路１２０の長辺方向が第１列出力端子群１０１の出力端子１０９と出力端子１１１の間隔以上の長さであり、液晶駆動集積回路１２０の短辺方向は面積が所定の値以上になる長さである。
【００２５】
（実施の形態２）
図２は、本発明の別の実施の形態であって、液晶表示基板２２３上に液晶駆動集積回路２２０を実装したＣＯＧ型液晶表示装置の入力部分の模式図を示す。
【００２６】
図中、第１列出力端子群２０１は、液晶駆動集積回路２２０の出力辺に沿って設置された複数の出力端子であり、第２列出力端子群２０２は、出力端子群２０１に対して千鳥配置された複数の出力端子である。
【００２７】
出力電極群２０３は、第１列出力電極群２０１および第２列出力電極群２０２からの出力信号を液晶表示基板２２３内の画素に伝達する複数の電極を示す。入力端子群２０４は電源や入力信号のための複数の入力端子であり、入力電極群２２２は電源や入力信号を液晶駆動集積回路２２０に入力するための複数の電極である。
【００２８】
集積回路横幅２０５は液晶駆動集積回路２２０の横幅を示し、集積回路縦幅２２１は液晶駆動集積回路２２０の縦幅を示す。出力端子横幅２０６は第１列出力端子群２０１および第２列出力端子群２０２の端から端までの横の長さを示し、出力端子縦幅２０７は第１列出力端子群２０１および第２列出力端子群２０２の端から端までの縦の長さを示す。
【００２９】
ロジック領域２０８は、液晶駆動集積回路２２０内のトランジスタゲートが形成されている領域である。出力端子２０９および出力端子２１１は第１列出力端子群２０１の出力端子であり、出力端子２１０は第２列出力端子群２０２の出力端子である。
【００３０】
出力電極２１２、出力電極２１３、出力電極２１４はそれぞれ出力端子２０９、出力端子２１０、出力端子２１１からの出力信号を引き出すための電極である。ギャップ２１５は出力端子２０９と出力電極２１３間の距離を示し、ギャップ２１６は出力電極２１３と出力端子２１１間の距離を示す。
【００３１】
ここで、第１列出力端子群２０１の出力端子２０９および第２列出力端子群２０２の出力端子２１０の形状は五角形であり、第１列と第２列の出力端子はすぼまった端部同士が相手側の端部間に入り込むように千鳥に向き合っている。
【００３２】
第２列出力端子群２０２の出力端子２１０の形状は、液晶駆動集積回路２２０の長辺方向が第１列出力端子群２０１の出力端子２０９と出力端子２１１の間隔以上の長さであり、液晶駆動集積回路２２０の短辺方向は面積が所定の値以上になる長さである。
【００３３】
（実施の形態３）
図３は、本発明のさらに別の実施の形態であって、液晶表示基板３２３上に液晶駆動集積回路３２０を実装したＣＯＧ型液晶表示装置の入力部分の模式図を示す。
【００３４】
図中、第１列出力端子群３０１は、液晶駆動集積回路３２０の出力辺に沿って設置された複数の出力端子であり、第２列出力端子群３０２は、出力端子群３０１に対して千鳥配置された複数の出力端子である。
【００３５】
出力電極群３０３は、第１列出力電極群３０１および第２列出力電極群３０２からの出力信号を液晶表示基板３２３内の画素に伝達する複数の電極を示す。入力端子群３０４は電源や入力信号のための複数の入力端子であり、入力電極群３２２は電源や入力信号を液晶駆動集積回路３２０に入力するための複数の電極である。
【００３６】
集積回路横幅３０５は液晶駆動集積回路３２０の横幅を示し、集積回路縦幅３２１は液晶駆動集積回路３２０の縦幅を示す。出力端子横幅３０６は第１列出力端子群３０１および第２列出力端子群３０２の端から端までの横の長さを示し、出力端子縦幅３０７は第１列出力端子群３０１および第２列出力端子群３０２の端から端までの縦の長さを示す。
【００３７】
ロジック領域３０８は、液晶駆動集積回路３２０内のトランジスタゲートが形成されている領域である。出力端子３０９および出力端子３１１は第１列出力端子群３０１の出力端子であり、出力端子３１０は第２列出力端子群３０２の出力端子である。
【００３８】
出力電極３１２、出力電極３１３、出力電極３１４はそれぞれ出力端子３０９、出力端子３１０、出力端子３１１からの出力信号を引き出すための電極である。ギャップ３１５は出力端子３０９と出力電極３１３間の距離を示し、ギャップ３１６は出力電極３１３と出力端子３１１間の距離を示す。
【００３９】
ここで、第１列出力端子群３０１の出力端子３０９の形状は五角形であり、第２列出力端子群３０２の出力端子３１０の形状は六角形である。第１列と第２列の出力端子はすぼまった端部同士が相手側の端部間に入り込むように千鳥に向き合っている。
【００４０】
第２列出力端子群３０２の出力端子３１０の形状は、液晶駆動集積回路３２０の長辺方向が第１列出力端子群３０１の出力端子３０９と出力端子３１１の間隔以上の長さであり、液晶駆動集積回路３２０の短辺方向は面積が所定の値以上になる長さである。
【００４１】
ここではこれ以上説明しないが、八角形等その他にもいろいろな多角形が考えられる。
【００４２】
【発明の効果】
本発明による集積回路により、出力端子領域の面積を最小限に押さえ、低価格の液晶集積回路を製作できる。
【図面の簡単な説明】
【図１】
本発明にて出力端子が四角形の例である。
【図２】
本発明にて出力端子が五角形の例である。
【図３】
本発明にて出力端子が五角形と六角形の例である。
【図４】
従来の出力端子の例である。
【符号の説明】
１０１  第１列出力端子群
１０２  第２列出力端子群
１０９  出力端子
１２０  液晶駆動集積回路
１２３  液晶表示基板
【手続補正２】
【補正対象書類名】図面
【補正対象項目名】全図
【補正方法】変更
【補正の内容】
【図１】
1999183922.tif 000001
【図２】
1999183922.tif 000002
【図３】
1999183922.tif 000003
【図４】
1999183922.tif 000004